(57)【要約】【課題】  ２本一膳として使用する塗り箸を親指、人指指、中指、薬指を使って扱う際に、箸本体の位置決めがし易く、しかも箸本体の重量バランスも適当で正しい持ち方を直ぐに習得でき、実用性と文化性を兼ね備えた広い需要層に喜ばれる常用塗り箸を提供する。【解決手段】  塗り箸の上部に合成樹脂系塗料や本漆などの天然塗料を用いて厚塗りの太径部、もっと厚く塗り盛りする節部を形成し、塗り箸の下部には合成樹脂形の硬質粒子や乾漆を使用して滑止部を形成した。【選択図】  図２
2014083387.tif 000002
【特許請求の範囲】
【請求項１】
棒状に加工された箸生地Ｗにおける上端の箸頭１から持ち代２の上部を周回状に取り巻く厚い塗りの太径部３、そして、この太径部３の下部周縁には、塗り厚を更に部厚く膨出させた節部４を突成した箸本体Ａであり、当該箸本体の使い代７の下部から箸先８に至る周面には、乾漆様の粒子９を万遍に付着させて滑止部10を形成し、対向状態で保持した２本の箸本体Ａ・Ａの滑止部10と10との間に挟んだ食品の滑落を抑止可能にしたことを特徴とする正しい持ち方を習得できる常用塗り箸。
【請求項２】
箸本体Ａの太径部３の下部周縁に膨出する節部４が、全周にわたり連続的に形成された堤状の隆起であることを特徴とする請求項１記載の正しい持ち方を習得できる常用塗り箸。
【請求項３】
箸本体Ａの太径部３の下部周縁に膨出する節部４が、太径部３の周囲に瘤状に形成された凸凹隆起4′・4′・…であることを特徴とする請求項１記載の正しい持ち方を習得できる常用塗り箸。
【請求項４】
箸本体Ａの箸生地Ｗの全面に、薄塗りを施した薄塗り層６が施されている請求項１〜３の何れか一つに記載の正しい持ち方を習得できる常用塗り箸。
【請求項５】
箸本体Ａの太径部３、節部４、および薄塗り層６を形成する塗料が本漆であり、滑止部10を形成する粒子９として、本漆の乾燥塊を粉砕して成る乾漆を使用したことを特徴とする請求項１〜４の何れか一つに記載の正しい持ち方を習得できる常用塗り箸。
【請求項６】
箸本体Ａの太径部３、節部４、および薄塗り層６を形成する塗料がアクリルやウレタン樹脂系の合成樹脂系塗料であり、滑止部10を形成する粒子９として、アクリル樹脂などの硬質樹脂系粒子を使用したことを特徴とする請求項１〜４の何れか一つに記載の正しい持ち方を習得できる常用塗り箸。
【発明の詳細な説明】
【技術分野】
【０００１】
本発明は、塗り箸の改良、更に詳しくは、一膳２本の箸本体を親指、人差指、中指、薬指を使って食事をする際に、箸本体の位置決めもし易く、しかも箸本体の重量バランスが適当で正しい持ち方を習得できる常用塗り箸に関するものであり、全体としての外観にも起伏変化があって好ましいデザインを呈するものである。
【背景技術】
【０００２】
食物を２本の棒材で挟み、口へ運んで食事をする際の食具としての塗り箸は、日本人の食生活において文化性と実用性が重視されている。図１に示す箸は、本発明の塗り箸を図示したものであるが、その使い方は従来市販の塗り箸と変わりがない。即ち、２本を一膳として使用する箸本体は、その箸先を揃えて持つものであり、片方の１本は親指の先と人差指と中指で挟んで支える一方、もう片方の１本は薬指の先部分と親指の付根とで支えつゝ、親指、人差指、中指で挟まれた側の箸の方は親指の先に接触した箸部分を支えとすることにより親指先の接触部分を支点５として箸先を開閉させて食物を摘み口へ運んで食事の便に供する。それゆえ、手づかみで食事を行う原始的な食事法より箸を使う食事法は、食物を箸先で間接的に遠隔した位置で挟みながら食するので衛生的でかつ上品で文化的である。しかし、食物を落とすと辺りが汚れ易いことから、箸を使う時には食物を零さず落さず確実に挟んで口に入れゝるように注意することが求められる。即ち、食具としての箸には、箸先の開閉操作が容易で扱い易いこと、食物を的確には挟めること、２本の一膳の箸を親指、人差指、中指、薬指の間に安定に気持ち良く保持できること、そして見栄えが良いことゝ言った実用性とデザイン性が要求されているのである。
【０００３】
ちなみに、従来提案されている塗り箸についてみると、特許文献１(特開平８−256894号公報）の要約欄、および図４、図５には、「箸本体の周面に、粉末物質２と抗菌剤４を混入した塗料を塗布し、微細な凹凸粗面と塗膜面２ａを形成して表面積を大きく」した塗り箸の改良案が説明されており、図４には、箸の先端部（箸先）に溝１ａの刻設加工や粗面加工１ｂを施して挟み持った食物を落し難いように改善した改良例が示されており、
また、特許文献２(特許第5022053号公報）の[特許請求の範囲]および図１(ｃ）、図２には、塗り箸の先端（箸先）に塗料溜まり２４を形成して挟み持った食物を滑り難くしたという改良例が示されているが、些か疑問である。もっとも、里芋や鶉の茹で卵ような丸くて滑り易い食物を貫刺すると、箸の先端に滴(しずく)状に塊った塗料溜まりが食物に引っ掛かるので抜け落ちにくいことは確かである。
【先行技術文献】
【特許文献】
【０００４】
【特許文献１】特開平８−256894号公報（要約欄、および図４、図５）
【特許文献２】特許第5022053号公報（[特許請求の範囲]および図１(ｃ）、図２）
【０００５】
しかしながら、特許文献１に開示の塗り箸は、抗菌剤を混入した塗料を箸に塗布し、箸先に刻み目(溝)１ａ 又は粗面１ｂを形成してあるので、雑菌による汚染、および箸先に挟んだ食物は落し難くゝ改善されているが、それ以外に工夫改善が見当らないので、目標とする食物を的確に摘むのには箸の支点が定まらず持ち勝手に不満があり、食物を安定に挟み持つことにも使う本人の技巧が要求される。
【０００６】
特許文献２に開示の塗り箸は、箸先の先端に滴状に塊った塗料溜まりを形成したことをセールスポイントにしているが、箸先を開閉操作したときに先端の塗料溜まりが合致すると食物を挟む２本の箸先部分に隙間ができるので、小さな食物は零し易いし、片方の塗料溜まりがもう片方の箸の塗料溜まりから外れたときには食物を挟み難いという問題が生ずる。たゞ、里芋のような丸くて滑り易い食物を食べるときには、突き刺して持ち上げるだけで、先端の塗料溜まりが刺し貫いた里芋に引っ掛かるので、抜け落ちる憂いはない。
【発明の概要】
【発明が解決しようとする課題】
【０００７】
本発明は、従前周知の塗り箸や従来提案されている改良された塗り箸に前述のごとき問題点があったことに鑑みてなされたものであり、２本一膳として使用する箸本体を親指、人差指、中指、薬指を使って扱う際に、箸本体の位置決めもし易く、しかも箸本体の重量バランスも適当で正しい持ち方を直ぐに習得可能な常用塗り箸に関するものであり、全体としての外観にも起伏変化があって好ましいデザインを呈しながら、食膳で使用する生活用具としても実用上好適な塗り箸を提供することを技術的課題とするものである。
【０００８】
また、本発明の他の技術的課題は、無意識的に箸を持った際に持ち代を少し動かすだけで適正な摘み位置を感知することができて正しい箸の持ち方ができ、食物を確実に挟んで口まで安定に運べる常用塗り箸を提供するにある。
【０００９】
さらに、本発明の他の技術的課題は、使用材料を選択することにより、最上級の高級品から中級品、割り安の大衆品まで広い価格帯で提供することが可能な常用塗り箸を提供するにある。
【課題を解決するための手段】
【００１０】
そこで、本発明者が上記技術的課題を解決するため採用した技術的手段を、添附図面に従って説明すると、次のとおりである。
【００１１】
即ち、本発明が提供する正しい持ち方を直ぐに習得できる常用塗り箸は、棒状に加工された箸生地Ｗにおける上端の箸頭(はしがしら）１から持ち代２の上部を周回状に取り巻く厚い塗りの太径部３、そして、この太径部３の下部周縁には、塗り厚を更に部厚く膨出させた節部４を突成した箸本体Ａであり、当該箸本体の使い代７の下部から箸先８にかけて周面には、乾湿様の粒子９を万遍に付着させて滑止部10を形成することによって、対向状態に保持した２本の箸本体Ａ・Ａの滑止部10と10との間に挟んだ食品の滑落を抑止可能にした点に特徴がある。
【００１２】
念のために、本発明の常用塗り箸を２本一膳として使用する機能と形状との関係から説明しておくと、箸本体Ａ・Ａは、２本一膳として使用する塗り箸であって、各箸本体Ａは、棒状に加工された箸生地Ｗにおける上端の箸頭１から持ち代２の上部を周回状に取り巻く厚い塗りの太径部３、この太径部３の下部周縁には塗り厚を更に部厚く隆起せしめた節部４を突成して、そして、前記片方側の箸本体Ａには、親指の先に接触したとき当該接触箇所が支点５として機能する部位と、人差指と中指との間に挟まれる部位とを有する一方、このように持ち支えた箸本体Ａ側の持ち代２と節部４との境界部位を人差指の付根部分に係合させることにより当該箸本体Ａの保持位置が安定するとともに、残りのもう片方の箸本体Ａは使い代７の部分を中指の先に支持させた状態で当該片方の箸本体Ａの節部４が親指の付根部分に当接可能に構成した点に使用上の利便性があるとも云える。
【００１３】
さらに念のために本発明の構成について注釈を加えておくと、本発明「常用塗り箸」の芯材となる箸生地Ｗの素材としては、乾燥された間伐材や柘植、樫、本鍬、紫檀、黒檀などを切削加工した木材、アクリル樹脂、ウレタン樹脂などの汎用合成樹脂材料を棒状に成形加工した合成樹脂製棒材、アルミやチタンなどの軽量金属を棒状に成形加工した金属棒材を採用することができる。ちなみに、箸生地Ｗの素材として、本鍬や紫檀・黒檀のごとき高級木材を採用する場合には箸生地Ｗの表面は艶出し研磨を施すだけで塗料の薄塗り加工は必要としない。
【００１４】
本発明の生地材Ｗの表面には、太径部３および節部４を形成するが、これらの塗料としては本漆を主剤とする天然系塗料はもとより、アクリル樹脂やウレタン樹脂などの合成樹脂系塗料を使用することができ、生地材Ｗの箸頭１から持ち代３に至る部分に形成する太径部３は、箸生地Ｗの素材に薄塗り塗料の薄塗り層６を塗布して形成する場合には薄塗り層６の上に塗り重ねるものとする。そして、太径部３の下部周縁に形成される節部４は更に分厚く塗り重ねて形成されることになる。もっとも、箸生地Ｗの薄塗り層６は、高級木材を素材とする場合には折角の高級生地の質感が損なわれることになるので、箸生地Ｗ自体が見える部分には塗料は塗布せず、高級な箸生地Wの肌目の美しさが見えるようにすることが好ましい。
【００１５】
また、箸本体Ａの使い代７の下部から箸先にかけて形成される滑止部10は、本漆の乾燥塊を粉砕して得た乾漆を万遍に付着させて形成するか、
あるいは薄塗り層６の塗料を下塗りする箸生地Ｗにアクリル樹脂などの硬質樹脂系粒子を万遍に付着させて形成するものとする。このように使用材料を選択することにより高級品から割り安の大衆品まで需要に幅広く応ずることができる。
【発明の効果】
【００１６】
本発明の塗り箸は、箸本体Ａの上端箸頭１から持ち代２の上部を周回状に取り巻く厚い塗りの太径部３、この太径部３の下部周縁には分厚く膨出した節部４が突成され、かつ、この箸本体Ａの使い代７の下部から箸先８にかけて乾漆様の粒子９を万遍に付着させた滑止部10が形成してあるので、片方の箸本体Ａを親指の先と人差指と中指で挟んで支える際に、これらの指に支えられる箸本体Ａの節部４が人差指に係合して位置決め安定すると共に、もう片方の箸本体Ａは使い代７の部分を中指の第一関節に支えた状態で節部４が親指の付根部分に巧まずして係合当接することになるので、箸を正しく使う習慣のない慣れない外国人でも本発明に係る塗り箸を使うなら、直ぐに、かつ、迅速に一膳の箸本体Ａ・Ａを安定した状態に持つことが可能となり、箸を正しく持って食事を行う習慣が身につく。
【００１７】
また、本発明の塗り箸にあっては、箸本体Ａの持ち代２の上部に形成された太径部３、節部４に加えて、下部には乾漆様の粒子９が万遍に付着してあり、滑止部10が形成されているので、当該箸本体Ａの箸先８・使い代７と太径部３・節部４とが相互補完的に機能し合ってバランスもとれて、箸本体Ａ・Ａの滑止部10と10との間に食物を挟んで口へ入れる際にも食物を落さず零さずにスマートに食べることができ、食膳上もその周辺も食物で汚くすることがない。
【００１８】
また本発明の塗り箸を使用するときは、親指、人差指、中指で挟んで持つ側の片一方の箸本体Ａは親指の先に接触した箸部分を支えとして保持することになるが、上側に節部４が存在して人差指に係合することになるので、親指の当接位置も自然に定まって、その親指の位置を支点５として、もう片一方の箸先８・８とを自由自在に開閉させることができる。
【００１９】
そして、本発明を適用して作製される塗り箸は、箸本体Ａの上部に天然の本漆または合成樹脂系の塗料で形成された太径部３と節部４が存し、この太径部３および節部４と、箸先部８にかけて形成された滑止部10との重量バランスが程良く調和し、かつ、太径部３、節部４から滑止部10へ連なる起伏形状にも変化があって、これを使う需要者の趣味も満足させるのでデザイン性において申し分がない。
【００２０】
また、本発明を適用して作製した塗り箸は、一膳の箸を構成する２本の箸本体Ａ・Ａの箸頭１側には太径部３と節部４とが各々突成してあるので、使用する際に両方の箸本体Ａ・Ａを利き手に取って使い代７の部分を箸先８・８の方向へ引っ張ると、片方（人差指側）の箸本体Ａの節部４は当該人差指の付根部分に係合し、もう片方（親指の内股側）の箸本体Ａの節部４は当該親指の付根部分に当接することになる。そこで、図１に示す如く、節部４を人差指に係合させた側の箸本体Ａは、人差指と中指に挟んで親指の先に支えると共に、もう片方の箸本体Ａは薬指の先部分と親指の付根部分に当接させるならば、直ぐに正しい箸の持ち方になるのである。
【００２１】
このように本発明によれば、簡単な使用説明書を添附して使用に供することにより、箸生活に不慣れな最近の若者でも、幼い子供でも、外国人でも、直ぐに箸の正しい持ち方を覚えることができる。しかも、本発明の常用塗り箸は、使用材料を選択することによりコスト的に高価な高級品から、コスト的に格安に製造することができる安価な大衆品まで幅広く提供することが可能である。なお、念のために補足しておくと、箸頭１から持ち代２の上部域における太径部２および節部４の塗料の色彩をチョコレート色、クリーム色、サクラ色などと様々に使い分けて提供する場合には、これを使う使用者の食欲を増進することにもなる。
【図面の簡単な説明】
【００２２】
【図１】図１は、本発明を適用して作製した２本一膳の箸本体を手の指で持った状態で表わす斜視図である。
【図２】図２は、本発明を適用して作製した箸本体の各部分の名称を指示して表わした斜視説明図である。
【図３】図３は、本発明を適用して作製した箸本体の立断面図である。
【図４】図４は、本発明を適用して構成される箸本体の太径部・下部周縁に形成される節部形状の変形例を例示した箸本体上部の部分拡大斜視説明図である。
【発明を実施するための形態】
【００２３】
以下、本発明の好ましい実施例を挙げて、本発明塗り箸の作用効果について更に具体的に説明してゆくものとする。
【実施例】
【００２４】
図１〜図３に示される塗り箸は、本発明を適用して作製した塗り箸の実施例である。
【００２５】
図１〜図３において、符号Ａで指示するものは本発明を適用して構成した箸本体である。本実施例の箸本体Ａは、棒状の箸生地Ｗに本漆のごとき天然塗料や、アクリル樹脂、ウレタン樹脂のごとき合成樹脂系塗料を塗布して作製されている。箸生地Ｗは、前述のとおり、乾燥された間伐材や柘植、樫、本鍬、紫檀などを切削加工した木材、アクリル樹脂などの汎用合成樹脂材料を棒状に成形加工した合成樹脂製棒材、アルミ、チタン等の軽量金属を棒状に成形加工した金属棒材を採用することができる。
【００２６】
箸本体Ａに符号１で指示する部分は箸頭、符号３は前記箸頭１から後記持ち代の上部に塗料を周回状に取り巻く如く接着させて形成した太径部、符号４は太径部３の下部周縁に厚塗り膨出形成した節部であり、符号８は箸本体Ａの下端に位置する箸先、符号９は乾漆様の粒子、符号10は前記粒子９・９・…が箸先８の方へ万遍に付着されて箸本体Ａの表面に形成された滑止部である。符号６が指示する部分は、箸生地Ｗの表面に塗料を薄塗り塗装して形成された薄塗り層であり、スギなどの乾燥間伐材などで塗り箸を量産する場合に箸生地Ｗの表面を化粧するものである。
【００２７】
また、図２に符号２で指示される領域は、当該箸本体を取り扱う際に手指で持たれる持ち代、符号７で指示される領域は箸本体の使い代である。符号５で指示する箇所は箸本体の支点であり、図１に指示する２本の箸本体Ａの中、上側に位置して親指、人差指、中指で挟んで保持される方の箸本体Ａを親指の先で支持して開閉操作する際に重要な部分である。
【００２８】
図１および図２に図示した箸本体Ａにおける太径部３の下部周縁に突成された節部４は、ほゞ一様な高さの堤(つつみ)状に隆起形成してあるが、図４に例示するように瘤状に凸凹隆起4′・4′・…に形成することも可能であり、このように節部４を形成すると箸本体Ａが膳台や食卓上で転がって落ちるのを防ぐことができる。
【００２９】
本発明の具体的構成は概ね前述したとおりであるが、本発明の技術的範囲は添附図面に具体的に示した図示例や実施例に尽きるものではなく、「特許請求の範囲に」に記載した技術思想の趣旨に従って模倣盗用して作られた類似の常用塗り箸の権利抵触の成否を解釈すべきである。
【産業上の利用可能性】
【００３０】
本発明は、以上説明したところからも明らかなとおり、箸を正しく持つことが不得手な現代の若者や子供達は言うに及ばず、外国人でも箸を正しく持って行儀良く食事を行えるように誘う食具として大いに役立つ。
また、塗り箸の実用性と文化性の向上にも役立つので、その産業上の利用可能性は頗る大きいものがある。
【符号の説明】
【００３１】
１                箸頭
２                持ち代
３                太径部
４                節部
4′・4′・…    凸凹隆起
５                支点
６                薄塗り層
７                使い代
８                箸先
９                粒子
Ａ                箸本体
Ｗ                箸生地
【図１】
2014083387.tif 000003
【図２】
2014083387.tif 000004
【図３】
2014083387.tif 000005
【図４】
2014083387.tif 000006